(57)【要約】【課題】  簡易ルーフ装置が有する雨水の処理について検討し、天気に左右されず有効に利用しうる簡易ルーフ装置を提供する。【解決手段】  トラック等の密閉された荷室１の荷室開口11に対してシート22を展開及び収納する簡易ルーフ装置２において、梁部23両端から両柱部24,24を降ろした門型枠体21の前記両柱部24,24を荷室開口11へ傾倒自在に軸着し、門型枠体21の梁部23にシート22の端縁を固着して、このシート22を繰り出す巻き取りドラム25を荷室開口11の上縁に取り付けてなり、傾倒させた門型枠体21が荷室開口11の上縁に取り付けた巻き取りドラム25からシート22を引き出して展開し、門型枠体21を荷室開口11に向けて押し戻すことによりシート22を巻き取りドラム25に巻き取って収納する荷室開口11の簡易ルーフ装置２である。【選択図】  図１
2006117013.tif 000002
【特許請求の範囲】
【請求項１】
トラック等の荷室開口に対してシートを展開及び収納する簡易ルーフ装置において、
梁部両端から両柱部を降ろした門型枠体の前記両柱部を荷室開口へ傾倒自在に軸着し、門型枠体の梁部にシートの端縁を固着して、このシートを繰り出す巻き取りドラムを荷室開口の上縁に取り付けてなり、
傾倒させた門型枠体が荷室開口の上縁に取り付けた巻き取りドラムからシートを引き出して展開し、門型枠体を荷室開口に向けて押し戻すことによりシートを巻き取りドラムに巻き取って収納することを特徴とする荷室開口の簡易ルーフ装置。
【請求項２】
門型枠体は、梁部が雨樋であり、シートの端縁を梁部の上縁に固着した請求項１記載の荷室開口の簡易ルーフ装置。
【請求項３】
門型枠体は、梁部が雨樋で、シートの端縁を梁部の上縁に固着してなり、柱部が前記梁部に連通する排水路である請求項１記載の荷室開口の簡易ルーフ装置。
【請求項４】
門型枠体は、柱部に連通する延長パイプを該柱部の下端に連結し、該延長パイプを荷室の床面から荷室下へと貫設した請求項３記載の荷室開口の簡易ルーフ装置。
【請求項５】
門型枠体は、雨樋である梁部の両端面を堰止め板により塞いでなり、梁部内に雨水が残存する状態で門型枠体を荷室開口に収納しても、梁部の両端から雨水が流れ落ちないようにする請求項３記載の荷室開口の簡易ルーフ装置。
【発明の詳細な説明】
【技術分野】
【０００１】
本発明は、トラック等の荷室開口に対してシートを展開及び収納する簡易ルーフ装置に関する。
【背景技術】
【０００２】
トラック等の荷室は、後方端面を荷室開口として、例えば観音扉で開閉する。観音扉を開いた荷室開口は、ただ後方端面が開口しているのみで、特に屋根等は存在しない。しかし、これでは荷室開口付近に直射日光が当たったり、荷室開口から荷室内へ雨が降り注ぐことになり、労力のかかる荷室開口での荷物の積み降ろし作業が、更に大変になる。これから、従来より、荷室開口に設けられる簡易ルーフ装置が開発され、提供されていた。
【０００３】
特許文献１の簡易ルーフ装置は、梁部両端から両柱部を降ろした門型枠体の前記両柱部を荷室開口へ傾倒自在に軸着し、荷室開口の上縁にシート（防水シート）の端縁を固着して、このシートを繰り出す巻き取りドラムを門型枠体の梁部に取り付けた構成である。この簡易ルーフ装置は、傾倒させた門型枠体の梁部に取り付けた巻き取りドラムからシートが繰り出して展開し、門型枠体を荷室開口に向けて押し戻すことによりシートを巻き取りドラムに巻き取って収納する。門型枠体は、荷室開口内に収まるため、観音扉の開閉を阻害しない。
【０００４】
【特許文献１】実公平01-017448号公報（１頁及び２頁、第１図及び第２図）
【発明の開示】
【発明が解決しようとする課題】
【０００５】
簡易ルーフ装置は、荷室開口での荷物の積み降ろし作業に際する直射日光を防いだり、雨が降り注ぐことを防止できればよく、あくまで補助的な装備であるから、できるだけ簡素で低コストであることが望まれる。これから、特許文献１に見られる簡易ルーフ装置は、前記要求を必要十分に満たしていると考えられる。しかし、特許文献１に見られる簡易ルーフ装置は、直射日光を避ける働きは十分であるが、降雨を避ける働きについては、問題が残されている。
【０００６】
特許文献１に見られる簡易ルーフ装置は、荷室開口から傾倒させた門型枠体と荷室開口の上縁との間でシートを展開する構成上、シートは門型枠体に向けて下り勾配で傾斜することになる。これから、シートに落ちた雨水は、シートの傾斜に従って流れていき、門型枠体に取り付けた巻き取りドラム内へと流れ込む虞れがある。これは、巻き取りドラムを構成する金属製部材の発錆を招き、巻き取りドラムを故障させる原因になりかねない。
【０００７】
更に、シートに従って流れ落ちる雨水が多いと、門型枠体の梁部を越えて雨水が落ちる可能性があるが、こうした雨水が門型枠体の梁部のどこから落ちるのかが特定されないことにより、不便を招くことになる。具体的には、シート直下は確かに雨に濡れなくなるものの、シートの下縁となる門型枠体の梁部のいずれかから雨水が落ちるため、シート直下への出入りがシートの両側縁方向に限られてしまうわけである。
【０００８】
このように、特許文献１に見られる簡易ルーフ装置は、実際に雨が降った際の雨水の処理についての対策が図られておらず、依然実用的には不十分であった。そこで、特許文献１に見られる簡易ルーフ装置を基礎とし、前記簡易ルーフ装置が有する雨水の処理について検討し、天気に左右されず有効に利用しうる簡易ルーフ装置を開発することにした。
【課題を解決するための手段】
【０００９】
検討の結果開発したものが、トラック等の荷室開口に対してシートを展開及び収納する簡易ルーフ装置において、梁部両端から両柱部を降ろした門型枠体の前記両柱部を荷室開口へ傾倒自在に軸着し、門型枠体の梁部にシートの端縁を固着して、このシートを繰り出す巻き取りドラムを荷室開口の上縁に取り付けてなり、傾倒させた門型枠体が荷室開口の上縁に取り付けた巻き取りドラムからシートを引き出して展開し、門型枠体を荷室開口に向けて押し戻すことによりシートを巻き取りドラムに巻き取って収納する荷室開口の簡易ルーフ装置である。
【００１０】
本発明の簡易ルーフ装置は、荷室開口から傾倒させた門型枠体と荷室開口の上縁との間で、門型枠体に向けて下り勾配で傾斜させてシートを展開する。ここで、シートの巻き取りドラムは荷室開口の上縁に取り付けているので、シートの傾斜に従って流れていく雨水が、巻き取りドラム内へと流れ込む虞れがない。また、荷室開口上縁に巻き取りドラムをしっかりと固定できるので、安定してシートを繰り出すことができるほか、巻き取りドラムを取り付けない門型枠体に要求される構造強度も低くすることができる。この結果、門型枠体が軽量化でき、傾倒に際して門型枠体が勢いよく倒れ込む危険性を低減できる。
【００１１】
シートの傾斜に従って流れていく雨水は、門型枠体の梁部から直接流し落としてもよいが、これでは雨水が門型枠体の梁部のどこから落ちるのかが特定されないことによる不便が解消されない。そこで、門型枠体は梁部を雨樋とし、シートの端縁を梁部の上縁に固着することとした。すなわち、シートの傾斜に従って流れていく雨水を、雨樋である梁部に流し込み、この梁部が開放する左右両端から雨水を流し落とすわけである。これにより、門型枠体の梁部から雨水が流れ落ちなくなり、シート直下へどこからでも自由に出入りできるようになる。
【００１２】
より好ましくは、門型枠体は梁部が雨樋とし、シートの端縁を梁部の上縁に固着して、更に柱部を前記梁部に連通する排水路にするとよい。門型枠体の梁部を雨樋にしても、シートを流れ落ちてくる雨水をすべて梁部の両端から落下させると、雨水が飛び散ってしまう。この雨水を排水路にした柱部を通じて排水することにより、梁部の両端から落下する雨水を減らして、雨水が飛び散る虞れを低減する。柱部は、中空にすることで柱部全体を排水路にすることもできるが、防錆の観点から、柱部は別途排水パイプを内蔵することが望ましい。
【００１３】
門型枠体を傾倒させる必要から、柱部は荷室開口内に軸着することになる。このため、排水路とした柱部下端から雨水を排水しようとすると、荷室内に雨水が流れ出てしまう虞れがある。また、柱部に内蔵した排水パイプを柱部から引き出して荷室外へ排水することも考えられるが、例えば観音扉を閉じる際には前記排水パイプを荷室内に取り込まなければならず、取扱いが不便になるほか、排水パイプに残る雨水がやはり荷室内に流れ出す虞れが残る。そこで、門型枠体は、柱部に連通する延長パイプをこの柱部の下端に連結し、この延長パイプを荷室の床面から荷室下へと貫設するとよい。これにより、シートから梁部に向けて流れ落ちてくる雨水は、柱部を通じて荷室下へ排水できるようになる。
【００１４】
雨樋とした梁部は、開放した梁部の両端から雨水を流し落とすが、実際には一滴残らず雨水を流し落とすことはできない。これから、門型枠体は、雨樋である梁部の両端面を堰止め板により塞ぎ、梁部内に雨水が残存する状態で門型枠体を荷室開口に収納しても、梁部の両端から雨水が流れ落ちない構成にするとよい。これにより、門型枠体を荷室開口に向けて収納する際、シート上に残存して梁部に流れ込む雨水や、梁部に残存する雨水が、梁部の両端から流れ落ちることを堰止め板で防止できる。ここで、門型枠体を傾倒させてシートを展開した状態では梁部の両端から雨水を流し落とし、門型枠体を起立させてシートを収納した状態では堰止め板により雨水を梁部に閉じ込めるように、堰止め板には切欠を形成し、門型枠体を傾倒させてシートを展開した状態における梁部の両端の開口を大きくしておくとよい。
【発明の効果】
【００１５】
本発明により、荷室開口付近の直射日光を避けることはもちろん、特に降雨に際して実用性の高い雨除けとして利用しうる簡易ルーフ装置を提供できるようになる。具体的には、次のような効果を有する。まず、シートの巻き取りドラムを荷室開口上縁に取り付けることにより、巻き取りドラムに向けて雨水が流れ込む虞れをなくして、装置として故障個所を低減する効果がある。また、巻き取りドラムが安定してシートを繰り出せたり、門型枠体が軽量化できる結果、傾倒に際する取扱いも容易かつ安全になる効果もある。
【００１６】
門型枠体は、梁部を雨樋とすることにより、シートの傾斜に従って流れ落ちてきた雨水を梁部の両端から流し落とすことができ、シート直下への出入りの範囲を広く確保する効果を得る。また、前記梁部に連通する柱部は、梁部に流れ込んでくる雨水を邪魔にならない位置、例えば荷室下方から排水することで、前記梁部の両端から流れ落ちる雨水の量を減らす効果を有する。更に、梁部の両端に堰止め板を設けることで、シート上又は梁部に雨水が残存した状態から、梁部の両端から雨水を流し落とすことなく、直ちに門型枠体を荷室開口に収納できる効果が得られる。
【発明を実施するための最良の形態】
【００１７】
以下、本発明の実施形態について図を参照しながら説明する。図１は荷室開口11に設置した簡易ルーフ装置２の門型枠体21を起立させて荷室開口11に収納した状態を表した荷室開口11付近の斜視図、図２は同状態の荷室開口11付近の正面図、図３は同状態の荷室開口11付近の断面図、図４は荷室１側方から見た図３中Ａ矢視部拡大側面図、図５は荷室１側方から見た図３中Ａ矢視部拡大断面図、図６は荷室１後方から見た図３中Ａ矢視部相当拡大断面図、図７は荷室１側方から見た図３中Ｂ矢視部拡大断面図、図８は簡易ルーフ装置２の門型枠体21を最大傾倒角度で傾倒させてシート22を展開させた状態を表した荷室開口11付近の斜視図、図９は図８中Ｃ矢視拡大図、図10は同状態の荷室開口11付近の正面図、図11は同状態の荷室開口11付近の断面図、図12は門型枠体21を中間傾倒角度で傾倒させてシート22を展開させた状態を表した荷室開口11付近の図10相当断面図、図13は荷室１側方から見た図11中Ｄ矢視拡大断面図、図14は荷室１側方から見た図11中Ｅ矢視拡大断面図である。荷室開口11付近を表す各図では、説明の便宜上、観音扉、テールランプ等の図示を省略している。
【００１８】
本発明の簡易ルーフ装置２は、図１〜図３に見られるように、梁部23及び柱部24,24からなる門型枠体21とシート22の巻き取りドラム25とから構成される。門型枠体21は、上方に開放した梁部23の両端から降ろした接続フランジ231に各柱部24をボルト232により接合した構造で、柱部24下端に軸着した取付部26を荷室１の床面12に固定して、荷室開口11に対して設置する。シート22を繰り出す巻き取りドラム25は、荷室開口上縁13に固着し、前記門型枠体21の梁部23にシート22の端縁を固着している。これから、シート22は荷室開口上縁13から傾倒した門型枠体21の梁部23に向けて下り勾配に傾斜して展開される。
【００１９】
本例の門型枠体21の梁部23は、図５に見られるように、上方に開放した外枠233に、雨樋を構成する内嵌合枠234、前記雨樋に流れ込む雨水を一時的に貯水する雨受けタンク235、そしてシート22の端縁を噛み込ませるシートストッパ236を内蔵し、図４に見られるように、雨樋を構成する内嵌合枠234の溝部2341を塞ぐ堰止め板237を外枠233の両端に固着して構成している。本例の堰止め板237は、内嵌合枠234の溝部2341を完全に塞ぎながら、後述する受け斜面2342に倣った切欠2371を設けている。シート22の繰り出しは、荷室開口上縁13に取り付けた巻き取りドラム25が担うため、本発明における梁部23は、専ら流れ込む雨水の処理、具体的には雨水を飛散させずに特定個所から雨水を排水することに適した構造を採用できる。
【００２０】
外枠233は、梁部23の外観を構成する部材で、底面2335の後縁から立設した荷室開口11側（図５中右側）の内壁面2331より、底面2335の前縁から立設した正面側（図５中左側）の外壁面2332を高くし、この外壁面2332上端から荷室開口11側に向けて張り出した飛散防止フランジ2333を形成した断面構造を有している。雨水は、シート22の傾斜に従って、シート22の端縁を巻き込んでいる内壁面2331上の折り返しフランジ2334を越えて、雨樋を構成する内嵌合枠234の溝部2341へ流れ込んでくる。外壁面2332は、勢いのついた雨水を堰止め、雨水が溝部2341に流れ込むようにする。飛散防止フランジ2333は、前記外壁面2332に衝突して飛散する雨水が、梁部23から外に飛び散らないようにする。ここで、内嵌合枠234の溝部2341へ雨水が流れ込みやすいように、本例の飛散防止フランジ2333は外壁面2332に対して90度よりやや大きい角度で開いている。
【００２１】
内嵌合枠234は、梁部23における雨樋を構成する部材であり、後述するように、シート22の端縁を固着するシートストッパ236を構成する一方の部材でもある。本例の内嵌合枠234は、外枠233の外壁面2332内側から荷室開口11側（図５中右側）に向けて下り勾配の受け斜面2342と、外枠233の折り返しフランジ2334に対して平行な挟持平面2343との間に、雨樋を構成する断面コの字状の溝部2341を形成している。これにより、シート22の傾斜に従って流れ落ちてきた雨水は、外枠233の外壁面2332及び飛散防止フランジ2333に衝突し、受け斜面2342に従って確実に溝部2341へ流し込むことができる。受け斜面2342は延設した接続外フランジ2344を外枠233の外壁面2332に接面させて固着し、挟持平面2343は外枠233の内壁面2331に添って降ろした接続内フランジ2345を前記内壁面2331に接面させて固着している。
【００２２】
内嵌合枠234の溝部2341は、外枠233の両端に取り付ける堰止め板237により塞がれており、この堰止め板237を越える雨水のみが梁部23の両端から流れ落ちるようになっている。堰止め板237を越えない雨水は、図６に見られるように、門型枠体21を起立させる際に、柱部24の直上に該当する溝部2341の両端に設けた流し込み孔2346から、この流し込み孔2346に連通する樹脂製の雨受けタンク235へと流れ込み、更に雨受けタンク235に連通する排水パイプ241を通じて荷室下14から排水する。雨受けタンク235は、内嵌合枠234と外枠233とに囲まれた空間に内蔵されており、雨水を溝部2341から落とし込むことで、門型枠体21が傾倒運動，特に傾倒姿勢から起立姿勢に復帰させる際に梁部23から雨水が飛散しないようにする。
【００２３】
シート22は、シートストッパ236によって端縁を梁部23に固着し、展開した状態で内嵌合枠234の溝部2341に向けて傾斜する。本例のシートストッパ236は、外枠233の内壁面2331に設けた折り返しフランジ2334と、内嵌合枠234の挟持平面2343との間に嵌め込んだ樹脂製のストッパ受け2361と、このストッパ受け2361に嵌め込む断面円形のストッパ棒2362とからなる。シート22の端縁は、ストッパ受け2361に宛てがった状態でストッパ棒2362を前記ストッパ受け2361に嵌め込むことで、ストッパ受け2361及びストッパ棒2362で挟持される。これにより、シート22は常に外枠233の折り返しフランジ2334上に展開され、雨樋を構成する内嵌合枠234の溝部2341へと雨水を導くことができる。
【００２４】
柱部24は、中空の角パイプからなり、下端を取付部26に軸着し、この取付部26を荷室１の床面12に固定して、荷室開口11から荷室１後方に向けて傾倒自在に支持されている。取付部26は、金属製板材を平面視断面コの字状に折り曲げて構成した部材で、荷室１前方に位置する規制面261の両縁から、荷室１の長手方向に平行な内外軸受面262,263それぞれに柱部24を軸着している。柱部は、前記規制面261に規制されて、荷室１前方へ傾倒しないようになっている。
【００２５】
本例の柱部24中空であるが、全体を排水路とするのではなく、可撓性のある樹脂製の排水パイプ241を別途内蔵している。この排水パイプ241は、雨受けタンク235が下方に突出した襞付きコック2351へ緊密に外嵌し、図７に見られるように、柱部24から取付部26を通って荷室下14へと貫通させている。これにより、柱部24の内部における発錆を防止しやすくなる。門型枠体21は、シート22を展開する必要から、どうしても荷室１に対する取付部位＝本例における取付部26に、屈曲する部分が必要になる。可撓性のある排水パイプ241は、前記取付部26における屈曲する部分に応じて曲げることのできる排水路を構成する。
【００２６】
このほか、本例では、図９に見られるように、門型枠体21の傾倒角度を規制するため、取付部26と柱部24との間に規制ロッド27を介在させている。この規制ロッド27は、柱部24より上方で取付部26に軸着され、柱部24の側面に取り付けた掛止突起242を案内する規制溝271を設けている。前記規制溝271は、門型枠体21の最大傾倒角度で係合する最大位置鈎溝272を規制溝271の上端に、門型枠体21の中間傾倒角度で係合する中間位置鈎溝273を規制溝271の途中にそれぞれ設けている。これにより、門型枠体21を最大傾倒角度まで傾倒させると、柱部24の掛止突起242が規制溝271内を移動して最大位置鈎溝272に係合し、図８〜図11に見られるように、門型枠体21は前記最大傾倒角度での傾倒姿勢を維持できる。同様に、門型枠体21を中間傾倒角度まで傾倒させて柱部24の掛止突起242を中間位置鈎溝273に係合させると、図12に見られるように、門型枠体21は中間傾倒角度での傾倒姿勢を維持できる。
【００２７】
次に、本発明の簡易ルーフ装置２の使用手順について説明する。門型枠体21は、荷室開口11を塞いだ観音扉（図示略）を開いた状態では、図１〜図３に見られるように、荷室開口11に倣って略垂直に起立している。柱部24は、特に起立姿勢で拘束していないが、取付部26の規制面261により柱部24は荷室１前方に向けて傾倒しないようになっており、観音扉を閉じた状態では観音扉と前記規制面261とに挟まれて、起立姿勢を保っている。これから、観音扉を開くと、柱部24を拘束していた一方の観音扉がなくなるため、門型枠体21は荷室１後方に向けて傾倒させることができる。前述のように、柱部24は特に拘束されていないため、梁部23又は柱部24を押す又は引っ張っることにより、門型枠体21を荷室１後方へと容易に傾倒させることができる。このとき、巻き取りドラムが25が常にシート22を引っ張っているため、門型枠体21の傾倒は勢いが殺されており、傾倒運動は緩やかである。
【００２８】
門型枠体21を傾倒させると、柱部24に従って変位する掛止突起242が規制溝271内を移動し、規制ロッド27を傾倒させる。そして、掛止突起242が規制溝271端に達すると、門型枠体21はそれ以上傾倒できなくなり、更に掛止突起242を最大位置鈎溝272に嵌め込むことで、図８〜図11に見られるように、門型枠体21の傾倒姿勢が安定に維持される。このとき、巻き取りドラム25は荷室開口11の上縁に固定されているから、門型枠体21の梁部23に端縁を固着したシート22は、前記巻き取りドラム25から梁部23に渡って繰り出され、展開される。通常、巻き取りドラム25は巻き取り方向にシート22を常に引っ張っているから、展開されたシート22は若干の中弛みが見られるものの、概ね荷室開口11の上縁から傾倒した門型枠体21の梁部23に向かって一定の下り勾配を有する簡易ルーフを構成する。
【００２９】
堰止め板237は、傾倒させた門型枠体21の梁部23の両端から多くの雨水を流し落としながら、溝部2341の両端のみを塞ぐことができるように、切欠2371を設けている。梁部23の両端を単純に塞ぐと溝部2341を越えて梁部23内に溜まる雨水の量が増える。本例の排水パイプ241は可撓性を有しているため、図14に見られるように、門型枠体21を傾倒させても十分な排水路を確保して、溝部2341に溜まる雨水を排水できる。しかし、溝部2341に溜まる雨水を一度に排水できないことから、例えば門型枠体21を起立させる際、梁部23に溜まった雨水が荷室１内に流れ落ちる可能性がある。加えて、門型枠体21を起立させるに従って前記シート22上の雨水が溝部2341に流れ込んでくる。これから、堰止め板237は、門型枠体21を傾倒させてシート22を展開した状態で、排水パイプ241が排水できる量を超える雨水を梁部23の両端から流し落とせるように、溝部2341のみを塞ぐ形状にするとよい。本例では、受け斜面2342に倣った辺を有する切欠2371を堰止め板237に設けることにより、溝部2341のみを塞ぎ、梁部23としてはできる限り開放した両端を形成している。
【００３０】
展開したシート22を巻き取りドラム25に巻き取るには、門型枠体21の梁部23又は柱部24を押す又は引っ張ることにより、門型枠体21を起立させればよい。巻き取りドラム25は、シート22を常に巻き取る方向に引っ張っているので、傾倒した門型枠体21の負荷がなくなれば、シート22は自動的に巻き取りドラム25に巻き取られる。このとき、梁部23内に残存する雨水は、堰止め板237に塞がれて梁部23の両端から落ちることはなく、内嵌合枠234の溝部2341から流し込み孔2346を通じて雨受けタンク235に流れ込み、排水パイプ241を通じて荷室下14に排水される。
【図面の簡単な説明】
【００３１】
【図１】荷室開口に設置した簡易ルーフ装置の門型枠体を起立させて荷室開口に収納した状態を表した荷室開口付近の斜視図である。
【図２】同状態の荷室開口付近の正面図である。
【図３】同状態の荷室開口付近の断面図である。
【図４】荷室側方から見た図３中Ａ矢視部拡大側面図である。
【図５】荷室側方から見た図３中Ａ矢視部拡大断面図である。
【図６】荷室後方から見た図３中Ａ矢視部相当拡大断面図である。
【図７】荷室側方から見た図３中Ｂ矢視部拡大断面図である。
【図８】簡易ルーフ装置の門型枠体を最大傾倒角度で傾倒させてシートを展開させた状態を表した荷室開口付近の斜視図である。
【図９】図８中Ｃ矢視拡大図である。
【図１０】同状態の荷室開口付近の正面図である。
【図１１】同状態の荷室開口付近の断面図である。
【図１２】門型枠体を中間傾倒角度で傾倒させてシートを展開させた状態を表した荷室開口付近の図10相当断面図である。
【図１３】荷室側方から見た図11中Ｄ矢視拡大断面図である。
【図１４】荷室側方から見た図11中Ｅ矢視拡大断面図である。
【符号の説明】
【００３２】
１  荷室
11  荷室開口
13  荷室開口上縁
２  簡易ルーフ装置
21  門型枠体
22  シート
23  梁部
231  接続フランジ
232  ボルト
233  外枠
234  内嵌合枠
235  雨受けタンク
236  シートストッパ
237  堰止め板
2371  切欠
24  柱部
241  排水パイプ
242  掛止突起
25  巻き取りドラム
26  取付部
261  規制面
262  内軸受面
263  外軸受面
27  規制ロッド
271  規制溝
272  最大位置鈎溝
273  中間位置鈎溝
【図１】
2006117013.tif 000003
【図２】
2006117013.tif 000004
【図３】
2006117013.tif 000005
【図４】
2006117013.tif 000006
【図５】
2006117013.tif 000007
【図６】
2006117013.tif 000008
【図７】
2006117013.tif 000009
【図８】
2006117013.tif 000010
【図９】
2006117013.tif 000011
【図１０】
2006117013.tif 000012
【図１１】
2006117013.tif 000013
【図１２】
2006117013.tif 000014
【図１３】
2006117013.tif 000015
【図１４】
2006117013.tif 000016